(57)【要約】【課題】送信元アドレスに基づいて、受信した電子メールの処理を行う携帯端末を提供する。【解決手段】情報を表示する表示部１００を備える携帯端末１０であって、メールアドレスを格納するアドレス格納部１２０と、外部から電子メールを受信する通信部１３０と、通信部１３０が受信した電子メールを格納する電子メール格納部１４０と、通信部１３０が受信した電子メールの送信元アドレスを、アドレス格納部１２０に格納されているメールアドレスか否かを判定するアドレス判定部１５０と、通信部１３０が電子メールを受信した場合に、表示部１００に表示する画面を、アドレス判定部１５０の判定に基づいて変更する画面変更部１６０とを備える。【選択図】図１
2009070404.tif 000002
【特許請求の範囲】
【請求項１】
情報を表示する表示部を備える携帯端末であって、
メールアドレスを格納するアドレス格納部と、
外部から電子メールを受信する通信部と、
前記通信部が受信した前記電子メールを格納する電子メール格納部と、
前記通信部が受信した前記電子メールの送信元アドレスを、前記アドレス格納部に格納されている前記メールアドレスか否かを判定するアドレス判定部と、
前記通信部が前記電子メールを受信した場合に、前記表示部に表示する画面を、前記アドレス判定部の判定に基づいて変更する画面変更部とを備えることを特徴とする携帯端末。
【発明の詳細な説明】
【技術分野】
【０００１】
本発明は、携帯端末に関する。特に本発明は、受信した電子メールを処理する携帯端末に関する。
【背景技術】
【０００２】
従来の携帯端末は、電子メールを受信した場合に、受信した電子メールの送信元アドレスに関わらず、電子メールを受信した旨を一様にユーザに伝えていた。また、受信した電子メールの内容が他人に知得されることを防ぐために、全ての操作を禁止する保護モードを備えた携帯端末が、提供されている。
【発明の開示】
【発明が解決しようとする課題】
【０００３】
従来の携帯端末は、電子メールを受信した旨を一様にユーザに伝えるので、ユーザ以外にも電子メールを受信した旨を知られる可能性があった。また、保護モードを用いた携帯端末のユーザは、電子メール機能を使用する場合には常に保護モードを解除しなくてはならなかった。
【０００４】
そこで、本発明は、上記の課題を解決することのできる携帯端末を提供することを目的とする。
【課題を解決するための手段】
【０００５】
即ち、本発明の第１の形態によると、情報を表示する表示部を備える携帯端末であって、メールアドレスを格納するアドレス格納部と、外部から電子メールを受信する通信部と、通信部が受信した電子メールを格納する電子メール格納部と、通信部が受信した電子メールの送信元アドレスを、アドレス格納部に格納されているメールアドレスか否かを判定するアドレス判定部と、通信部が電子メールを受信した場合に、表示部に表示する画面を、アドレス判定部の判定に基づいて変更する画面変更部とを備える。画面変更部は、通信部が電子メールを受信した場合に、電子メールを受信すべく待機している時に表示部に表示する待ち受け画面を、アドレス判定部の判定に基づいて変更してもよい。
【０００６】
本発明の他の形態によると、情報を表示する表示部を備える携帯端末であって、メールアドレスを格納するアドレス格納部と、外部から電子メールを受信する通信部と、通信部が受信した電子メールの送信元アドレスを、アドレス格納部に格納されているメールアドレスか否かを判定するアドレス判定部と、電子メールの送信元アドレスが、アドレス格納部に格納されているメールアドレスと一致する場合に電子メールを格納する特定電子メール格納部と、ユーザを認証する認証情報の設定情報を格納する認証情報格納部と、外部から認証情報を取得する認証情報取得部と、認証情報取得部が取得した認証情報を、設定情報に基づいて判定する認証情報判定部と、認証情報判定部が認証した場合に特定電子メール格納部に格納している電子メールを表示部に表示する特定電子メール読み出し部とを備える。
【０００７】
なお、上記の発明の概要は、本発明の必要な特徴の全てを列挙したものではなくこれらの特徴群のサブコンビネーションも又発明となりうる。
【発明の効果】
【０００８】
上記説明から明らかなように、本発明によれば携帯端末１０は、特定の送信元アドレスから電子メールを受信した旨を、他人に知られることなく携帯端末のユーザに伝えることができる。また、携帯端末１０は、ユーザが認証情報を入力しない限り特定の送信元アドレスを有する電子メールを、表示部１００に表示しないようにすることができる。
【発明を実施するための最良の形態】
【０００９】
以下、発明の実施の形態を通じて本発明を説明するが、以下の実施の形態はクレームにかかる発明を限定するものではなく、また実施形態の中で説明されている特徴の組み合わせの全てが発明の解決手段に必須であるとは限らない。
【００１０】
（第１の実施の形態）図１は、第１の実施の形態における携帯端末１０の機能構成を示す。第１の実施の形態に係る携帯端末１０は、受信した電子メールの送信元アドレスに基づいて、待ち受け画面を変更する。携帯端末１０は、表示部１００と、入力部１１０と、アドレス格納部１２０と、通信部１３０と、電子メール格納部１４０と、アドレス判定部１５０と、画面変更部１６０とを備える。
【００１１】
入力部１１０は、ユーザからメールアドレスを受け付け、アドレス格納部１２０に格納する。通信部１３０は、通信網を介して外部から電子メールを受信し、電子メール格納部１４０に格納する。
【００１２】
アドレス判定部１５０は、電子メール格納部１４０に格納されている電子メールの送信元アドレスが、アドレス格納部１２０に格納されているメールアドレスと一致するか否かを判定する。アドレス判定部１５０は、電子メール格納部１４０に格納されている電子メールの送信元アドレスが、アドレス格納部１２０に格納されているメールアドレスと一致すると判定した場合に、その旨を示す一致情報を、画面変更部１６０に送る。また、アドレス判定部１５０は、電子メール格納部１４０に格納されている電子メールの送信元アドレスが、アドレス格納部１２０に格納されているメールアドレスと一致しないと判定した場合に、その旨を示す不一致情報を、画面変更部１６０に送る。
【００１３】
画面変更部１６０は、一致情報を受け取ると、表示部１００に表示する待ち受け画面を変更すべき指示を表示部１００に送る。表示部１００は、待ち受け画面を変更すべき指示を画面変更部１６０から受け取ると、待ち受け画面を変更する。この場合、表示部１００は、携帯端末１０のユーザのみが携帯端末１０が電子メールを受信した旨を認識可能な画面を表示する。表示部１００は、例えば、通常の待ち受け画面に含まれる背景の色を変更する。
【００１４】
画面変更部１６０は、不一致情報を受け取ると、表示部１００に表示する待ち受け画面を変更すべき指示を表示部１００に送る。表示部１００は、待ち受け画面を変更すべき指示を画面変更部１６０から受け取ると、待ち受け画面を変更する。この場合、表示部１００は、電子メールを受信した旨を表示する。表示部１００は、例えば、「メールを受信しました。」という文を表示する。
【００１５】
図２は、電子メールを受信した際の携帯端末１０の動作を示すフローチャートである。通信部１３０は電子メールを受信する（ステップＳ２０２）。次に、通信部１３０は、受信した電子メールを電子メール格納部１４０に格納する（ステップＳ２０４）。次に、アドレス判定部１５０は、電子メール格納部１４０に格納されている電子メールの送信元アドレスを読み出す。アドレス判定部１５０は、読み出した送信元アドレスが、アドレス格納部１２０に格納されているメールアドレスと一致するか否かを判定する（ステップＳ２０６）。
【００１６】
アドレス判定部１５０が、電子メール格納部１４０に格納されている電子メールの送信元アドレスと、アドレス格納部１２０に格納されているメールアドレスとが一致すると判定した場合に、画面変更部１６０は、表示部１００に通常とは異なる画面を表示する（ステップＳ２０８）。表示部１００は、例えば、画面に含まれる背景の色を変更する。これによって、携帯端末１０は、携帯端末１０のユーザのみが、携帯端末１０が電子メールを受信した旨を認識可能な画面を表示する。
【００１７】
一方、アドレス判定部１５０が電子メール格納部１４０に格納されている電子メールの送信元アドレスと、アドレス格納部１２０に格納されているメールアドレスとが一致しないと判定した場合に、画面変更部１６０は、表示部１００に電子メールを受信した旨を表示する（ステップＳ２１０）。表示部１００は、例えば、「メールを受信しました。」という文を表示する。
【００１８】
以上の動作によって、携帯端末１０は、特定の送信元アドレスの電子メールを受信した旨を、他人に知られることなく携帯端末１０のユーザに伝えることができる。
【００１９】
図３は、メールアドレスを登録する際の１０の動作を示すフローチャートである。入力部１１０は外部からの入力を受け付ける（ステップＳ３０２）。次に入力部１１０は、アドレス格納部１２０へのメールアドレスの登録操作か否かを判定する（ステップＳ３０４）。アドレス格納部１２０へのメールアドレスの登録操作であると判定した場合に、アドレス格納部１２０は、入力部１１０が取得したメールアドレスを格納する。
【００２０】
以上の動作によって、携帯端末１０は、携帯端末１０のユーザが任意に選ぶメールアドレスを、アドレス格納部１２０に格納することができる。
【００２１】
図４は、第１の実施の形態における携帯端末１０のハードウェアの構成を示す。携帯端末１０は、通信部１００と、ＲＯＭ２８０と、ＲＡＭ２２０と、不揮発性メモリ２３０と、制御部２４０と、タイマ２５０と、入力部１１０と、表示部１００と、スピーカ２６０と、マイク２７０とを備える。
【００２２】
通信部１３０は、制御部２４０から受け取った電子メールを、通信網を介して外部に送信する。また、通信部１３０は、通信網を介して外部から受信した電子メールを、制御部２４０に出力する。ＲＯＭ２８０は、例えば、携帯端末１０の制御プログラムを格納する。ＲＡＭ２２０は、例えば、種々の設定情報等を格納する。すなわち、ＲＡＭ２２０は、ユーザが入力した電子メールの、表題のメッセージおよび本文のメッセージを、認証情報や処理指示情報に対応付けて格納する。不揮発性メモリ２３０は、例えば、受信した電子メールに加え、アドレス情報、着信音データ等を格納する。
【００２３】
制御部２４０は、ＲＯＭ２８０、ＲＡＭ２２０、不揮発性メモリ２３０等に格納されているプログラムやデータを用いて、携帯端末１０の通信制御や通信信号処理等を行う。特に、制御部２４０は、通信部１００、ＲＯＭ２８０、ＲＡＭ２２０、不揮発性メモリ２３０、タイマ２５０、および入力部１１０と共に、図１で説明した各機能ブロックの機能を実現する。
【００２４】
制御部２４０が処理を行う際に用いるプログラム、すなわち、ＲＯＭ２８０、ＲＡＭ２２０、および不揮発性メモリ２３０の所定の領域に格納されたプログラムは、アドレス格納モジュールと、アドレス判定モジュールと、電子メール格納モジュールと、待ち受け画面変更モジュールとを備える。これらのプログラムモジュールは、それぞれ、アドレス格納部１２０、電子メール格納部１４０、アドレス判定部１５０、および画面変更部１６０の機能を実現するプログラムである。本例ではこれらのプログラムモジュールは、ＲＡＭ２２０等に格納されているが、リムーバブルメディアや無線通信網等を介して、携帯端末１０に供されてもよい。
【００２５】
タイマ２５０は、時間を計測し、必要に応じて制御部２４０に出力する。入力部１１０は、ユーザが入力した情報を制御部２４０に出力する。ユーザが入力する情報は、例えば、メッセージ格納部１４０に格納する表題のメッセージや本文のメッセージおよびそれらのメッセージに対応する処理を特定する情報の入力を受け付けて、制御部２４０に出力する。表示部１００は、制御部２４０から受信した画像情報に基づいて表示する。表示部１００は、例えばＬＣＤである。スピーカ２６０は、制御部２４０から受け取った電気信号を音声に変換し、出力する。マイク２７０は、外部の音声を電気信号に変換し、制御部２４０に出力する。
【００２６】
以上のハードウェアの構成によって、携帯端末１０は、第１の実施の形態に示す各動作を実現する。
【００２７】
次に、第１の実施の形態に係る変形例を説明する。第１の実施の形態においてアドレス判定部１５０は、電子メール格納部１４０に格納されている電子メールの送信元アドレスが、アドレス格納部１２０に格納されているメールアドレスと一致する場合に、その旨を示す一致情報を、画面変更部１６０に送信していたが、これに代えて、アドレス判定部１５０が判定するメールアドレスの一致は、部分一致でもよい。例えば、アドレス格納部１２０が「abc.co.jp」というドメイン名を格納している場合に、アドレス判定部１５０は、「abc.co.jp」というドメイン名を含む全てのメールアドレスを、アドレス格納部１２０が格納するメールアドレスと一致すると判定してもよい。これによって、携帯端末１０のアドレス判定部１５０の処理を速くすることができる。
【００２８】
（第２の実施の形態）図５は、第２の実施の形態における携帯端末１０の機能構成を示す。第２の実施の形態に係る携帯端末１０は、受信した電子メールの送信元アドレスに基づいて、電子メールを分類して格納する。また、携帯端末１０は、分類した特定の電子メールを、外部から特定の認証情報を受け付けた場合に限り表示する。
【００２９】
携帯端末１０は、表示部１００と、入力部１１０と、アドレス格納部１２０と、通信部１３０と、電子メール格納部１４０と、アドレス判定部１５０と、特定電子メール格納部１６０と、認証情報格納部１７０と、認証情報判定部１８０と、特定電子メール読み出し部１９０と、通常電子メール読み出し部２００と、認証情報取得部２１０とを備える。アドレス格納部１２０は、メールアドレスを格納する。通常電子メール格納部１４０は、送信元アドレスがアドレス格納部１２０に格納されているメールアドレスと一致する電子メールを格納する。特定電子メール格納部１６０は、送信元アドレスがアドレス格納部１２０に格納されているメールアドレスと一致しない電子メールを格納する。認証情報格納部１７０は、認証情報判定部１８０が判定の基準とする、認証情報を格納する。入力部１１０は、ユーザからの電子メールの検索操作を受け付ける。
【００３０】
携帯端末１０は、通常電子メール格納部１４０と特定電子メール格納部１６０に格納されている電子メールを、表示部１００に同時に一覧で表示する。
【００３１】
通信部１３０は、通信網を介して外部から電子メールを受信する。通信部１３０は、受信した電子メールをアドレス判定部１５０に送る。アドレス判定部１５０は、通信部１３０から電子メールを受け取る。アドレス判定部１５０は、受け取った電子メールの送信元アドレスを、アドレス格納部１２０に格納されているメールアドレスと一致するか否かを判定する。アドレス判定部１５０は、送信元アドレスがアドレス格納部１２０に格納されているメールアドレスと一致すると判定した電子メールである特定電子メールを、特定電子メール格納部１６０に格納する。また、アドレス判定部１５０は、送信元アドレスがアドレス格納部１２０に格納されているメールアドレスと一致しないと判定した電子メールである通常電子メールを、電子メール格納部１４０に格納する。
【００３２】
認証情報取得部２１０は、ユーザが入力する認証情報を取得し、認証情報判定部１８０へ送る。認証情報判定部１８０は、認証情報取得部２１０が取得した認証情報が、認証情報格納部１７０に格納されている認証情報と一致するか否かを判定する。認証情報判定部１８０は、認証情報取得部２１０が取得した認証情報が、認証情報格納部１７０に格納されている認証情報と一致すると判定した場合に、一致の旨を示す一致情報を、特定電子メール読み出し部１９０に送る。特定電子メール読み出し部１９０は、認証情報判定部１８０から一致情報を受け取った場合に、特定電子メール格納部１６０に格納されている特定電子メールを読み出す。特定電子メール読み出し部１９０は、読み出した特定電子メールを、表示部１００に送る。
【００３３】
通常電子メール読み出し部２００は、通常電子メール格納部１４０に格納されている通常電子メールを読み出す。通常電子メール読み出し部２００は、読み出した通常電子メールを、表示部１００に送る。
【００３４】
表示部１００は、通常電子メール読み出し部２００または特定電子メール読み出し部１９０から受け取った電子メールを表示する。
【００３５】
携帯端末１０は、通信部１３０が外部から受信した電子メールを、アドレス判定部１５０に送る。通信部１３０から電子メールを受け取ったアドレス判定部１５０は、受け取った電子メールの送信元アドレスが、アドレス格納部１２０に格納されているメールアドレスと一致するか否かを判定し、判定結果に基づいて、受け取った電子メールを通常電子メール格納部１４０と特定電子メール格納部１６０に分類して格納する。これにより、携帯端末１０は、受信した電子メールを、電子メールの送信元アドレスに基づいて特定電子メールと通常電子メールとに分類することができる。また、携帯端末１０は、認証情報取得部２１０から認証情報の入力を受け付け、入力された認証情報を、認証情報判定部１８０に送る。認証情報判定部は、認証情報取得部２１０が取得した認証情報が、認証情報格納部１７０に格納されている認証情報と一致するか否かを判定し、一致すると判定した場合に一致の旨を示す一致情報を、特定電子メール読み出し部１９０に送る。特定電子メール読み出し部１９０は、認証情報判定部１８０から一致情報を受け取った場合に、特定電子メール格納部１６０に格納されている特定電子メールを読み出し、表示部１００に表示する。従って、携帯端末１０は、ユーザが正しい認証情報を入力しない限り特定電子メールを表示部１００に表示しないようにすることができる。
【００３６】
図６は、電子メールを受信した際の携帯端末１０の動作を示すフローチャートである。通信部１３０は、外部から電子メールを受信する（ステップＳ５０２）。次に、アドレス判定部１５０は、通信部１３０が受信した電子メールの送信元アドレスが、アドレス格納部１２０に格納されているメールアドレスと一致するか否かを判定する（ステップＳ５０４）。アドレス判定部１５０は、通信部１３０が受信した電子メールの送信元アドレスが、アドレス格納部１２０に格納されているメールアドレスと一致すると判定した場合に、通信部１３０が受信した電子メールを特定電子メール格納部１６０に格納する（ステップＳ５０６）。
【００３７】
受信した電子メールの送信元アドレスが、アドレス格納部１２０に格納されているメールアドレスと一致しないと判定した場合に、アドレス判定部１５０は、通信部１３０が受信した電子メールを電子メール格納部１４０に格納する（ステップＳ５０８）。
【００３８】
携帯端末１０は、通信部１３０が外部から受信した電子メールを、アドレス判定部１５０に送る。通信部１３０から電子メールを受け取ったアドレス判定部１５０は、受け取った電子メールの送信元アドレスが、アドレス格納部１２０に格納されているメールアドレスと一致するか否かを判定し、判定結果に基づいて、受け取った電子メールを通常電子メール格納部１４０と特定電子メール格納部１６０に分類して格納する。これにより、携帯端末１０は、外部から受信した電子メールを分類し、格納する。また、携帯端末１０は、認証情報取得部２１０から認証情報の入力を受け付け、入力された認証情報を、認証情報判定部１８０に送る。認証情報判定部は、認証情報取得部２１０が取得した認証情報が、認証情報格納部１７０に格納されている認証情報と一致するか否かを判定し、一致すると判定した場合に一致の旨を示す一致情報を、特定電子メール読み出し部１９０に送る。特定電子メール読み出し部１９０は、認証情報判定部１８０から一致情報を受け取った場合に、特定電子メール格納部１６０に格納されている特定電子メールを読み出し、表示部１００に表示する。従って、携帯端末１０は、ユーザが他人に見られたくない電子メールを、自動的に分類し、ユーザ以外が見られないようにする。
【００３９】
図７は、特定電子メール格納部１６０に格納されている特定電子メールと、電子メール格納部１４０に格納されている電子メールを、同時に一覧で表示する際の携帯端末１０の動作を示すフローチャートである。特定電子メール読み出し部１９０は、特定電子メール格納部１６０に特定電子メールが格納されているか否かを判定する（ステップＳ７０２）。次に、特定電子メール読み出し部１９０は、特定電子メールの一覧中での表示内容を“＊＊＊”に変更する（ステップＳ７０４）。次に、特定電子メール格納部１６０ならびに電子メール格納部１４０に格納されている電子メールを一覧にして表示部１００に表示する（ステップＳ７０６）。
【００４０】
次に、入力部１１０は、ユーザが特定電子メールを選択したか否かを判定する（ステップＳ７０８）。ユーザが特定電子メールを選択したと入力部１１０が判定した場合に、認証情報取得部２１０は、ユーザが入力する認証情報を受け付ける。次に、認証情報判定部１８０は、認証情報取得部２１０が取得した認証情報と、認証情報格納部１７０が格納している認証情報が一致するか否かを判定する（ステップＳ７１０）。認証情報取得部２１０が取得した認証情報と、認証情報格納部１７０が格納している認証情報が一致すると認証情報判定部１８０が判定した場合に、特定電子メールを表示する（ステップＳ７１２）。
【００４１】
以上の動作によって、携帯端末１０は、ユーザが入力する認証情報に基づいて、特定電子メールを表示部１００に表示する。これによって、ユーザのみが特定電子メールを見ることができる。
【００４２】
図８は、第２の実施の形態に係る携帯端末１０の、表示部１００が表示する画面例を示す。図８(１)は、受信した電子メールの一覧を示す画面例を示す。ユーザは、図８(１)に示す画面から、特定電子メール１０１を選択できる。ユーザが特定電子メール１０１を選択した場合に、表示部１００は図８(２)に示す画面を表示する。
【００４３】
図８(２)は、ユーザから認証情報の入力を受け付ける場合の、表示部１００の画面例を示す。ユーザは、認証情報を入力することによって、特定電子メール格納部１７０に格納された特定電子メールを表示部１００に表示させることができる。
【００４４】
次に、第２の実施の形態に係る変形例を示す。第２の実施の形態において、携帯端末１０は、特定電子メール格納部１６０に格納されている特定電子メールと、電子メール格納部１４０に格納されている電子メールを、同時に一覧で表示していたが、特定電子メール格納部１６０に格納されている特定電子メールのみを一覧で表示部１００に表示してもよい。図９は、特定電子メール格納部１６０に格納されている特定電子メールを、表示部１００に一覧で表示する際の、携帯端末１０の動作を示すフローチャートである。
【００４５】
認証情報取得部２１０は、ユーザから認証情報を取得する（ステップＳ８０２）。次に、認証情報判定部１８０は、認証情報取得部２１０が取得した認証情報が、認証情報格納部１７０に格納されている認証情報と一致するか否かを判定する（ステップＳ８０４）。次に、認証情報取得部２１０が取得した認証情報が、認証情報格納部１７０に格納されている認証情報と一致すると認証情報判定部１８０が判定した場合に、特定電子メール読み出し部１９０は、特定電子メール格納部１６０に格納されている特定電子メールの一覧を読み出す。特定電子メール読み出し部１９０は、読み出した特定電子メールの一覧を、表示部１００に表示する（ステップＳ８０６）。次に、入力部１１０が電子メールの検索操作をユーザから受け取った場合に（ステップＳ８０８）、特定電子メール読み出し部１９０は、表示部１００にユーザが選んだ特定電子メールの本文を表示する（ステップＳ８１０）。
【００４６】
以上の動作によって、携帯端末１０は、ユーザが入力する認証情報に基づいて、特定電子メールを表示部１００に表示する。これによって、ユーザのみが特定電子メールを見ることができる。
【００４７】
第２の実施形態における携帯端末１０のハードウェア構成は、第１の実施形態における携帯端末１０のハードウェア構成と同一であるため、説明を省略する。
【００４８】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【図面の簡単な説明】
【００４９】
【図１】携帯端末１０の機能構成を示す図である。
【図２】電子メールを受信した際の携帯端末１０の動作を示すフローチャートである。
【図３】メールアドレスを登録する際の１０の動作を示すフローチャートである。
【図４】携帯端末１０のハードウェアの構成を示す図である。
【図５】携帯端末１０の機能構成を示す図である。
【図６】電子メールを受信した際の携帯端末１０の動作を示すフローチャートである。
【図７】特定電子メール格納部１６０に格納されている特定電子メールと、通常電子メール格納部１４０に格納されている通常電子メールを、表示部１００に同時に一覧で表示する際の携帯端末１０の動作を示すフローチャートである。
【図８】携帯端末１０の、表示部１００の画面例を示す図である。
【図９】特定電子メール格納部１６０に格納されている特定電子メールを、表示部１００に表示する際の、携帯端末１０の動作の変形例を示すフローチャートである。
【符号の説明】
【００５０】
１０ 携帯端末
１００ 表示部
１１０ 入力部
１２０ アドレス格納部
１３０ 通信部
１４０ 電子メール格納部
１５０ アドレス判定部
１６０ 画面変更部
１７０ 認証情報格納部
１８０ 認証情報判定部
１９０ 特定電子メール読み出し部
２００ 通常電子メール読み出し部
２１０ 認証情報取得部
２２０ ＲＡＭ
２３０ 不揮発性メモリ
２４０ 制御部
２５０ タイマ
２６０ スピーカ
２７０ マイク
２８０ ＲＯＭ
【図１】
2009070404.tif 000003
【図２】
2009070404.tif 000004
【図３】
2009070404.tif 000005
【図４】
2009070404.tif 000006
【図５】
2009070404.tif 000007
【図６】
2009070404.tif 000008
【図７】
2009070404.tif 000009
【図８】
2009070404.tif 000010
【図９】
2009070404.tif 000011